(57)【要約】      （修正有）【課題】容器と蓋とをしっかり締め、食物の加熱時、容器内部の圧力が大きすぎることにより蓋が弾き出ることを避け、安全性を高めるレンジ用の炊飯器を提供する。【解決手段】レンジ用の炊飯器は、蓋と容器とを含む。容器の外側には、マイクロ波吸収発熱層３が設けらる。容器の周縁を囲むように炊飯器の把持部４が設けられる。把持部の頂面には、係脱具５が可動自在に設けられる。蓋には、係脱具に係合する凸部６が対応して設けられる。蓋には、容器の内部と外部とを連通させる排気弁７が設けられている。蓋には、蓋取っ手が設けられている。炊飯器は、容器の外側に塗布されたマイクロ波吸収発熱層がマイクロ波を吸収して発熱し、熱量を容器内に伝える。炊飯器を電子レンジに入れて加熱して飯を炊く。【選択図】図１
0003206690.tif 000002
【実用新案登録請求の範囲】
【請求項１】
蓋と容器とを含むレンジ用の炊飯器であって、
前記容器の外側には、マイクロ波吸収発熱層が設けられ、
前記容器の周縁を囲むように前記炊飯器の把持部が設けられ、
前記把持部の頂面には、係脱具が可動自在に設けられ、
前記蓋には、前記係脱具に係合する係脱凸部が対応して設けられ、
前記蓋には、前記容器の内部と外部とを連通させる排気弁が設けられ、
前記蓋には、蓋取っ手が設けられる、
ことを特徴とするレンジ用の炊飯器。
【請求項２】
前記マイクロ波吸収発熱層は、前記容器の外側の底部に設けられる、
ことを特徴とする請求項１に記載のレンジ用の炊飯器。
【請求項３】
前記マイクロ波吸収発熱層は、前記容器の外側壁に設けられる、
ことを特徴とする請求項１に記載のレンジ用の炊飯器。
【請求項４】
前記マイクロ波吸収発熱層は、前記容器の底部及び外側壁に設けられる、
請求項１に記載のレンジ用の炊飯器。
【請求項５】
前記蓋取っ手は、前記蓋の外側の上端の中央に設置される、
請求項１に記載のレンジ用の炊飯器。
【請求項６】
前記把持部の頂面には、二つの前記係脱具が対称になって可動自在に設けられる、
請求項１に記載のレンジ用の炊飯器。
【請求項７】
前記蓋には、前記係脱具に係合する前記係脱凸部が、二つ対称になって設けられる、
請求項１に記載のレンジ用の炊飯器。
【請求項８】
前記蓋と前記容器とは、金属で作られる、
請求項１に記載のレンジ用の炊飯器。
【請求項９】
前記マイクロ波吸収発熱層は、以下のような成分をその重量百分率で混合した組成を含む、
請求項１に記載のレンジ用の炊飯器。
吸波剤：１０％〜９０％、補助材料：１０％〜９０％
【請求項１０】
前記吸波剤は、酸化粉末、カルボニル鉄粉、石墨粉末、炭素繊維、導電性カーボンブラック、アセチレンブラック及び炭化ケイ素の何れか一種又は二種以上を混合して構成され、
前記補助材料は、合成ゴム又は接着材である、
請求項９に記載のレンジ用の炊飯器。
【考案の詳細な説明】
【技術分野】
【０００１】
本考案は、レンジ用の炊飯器の技術領域に関わり、特に、改善したレンジ用の炊飯器に関する。
【背景技術】
【０００２】
現在、レンジ用の炊飯器は、大体非金属材料（例えば、プラスチック、シリカゲルなど）で作られる。マイクロ波は、非金属材料を直接に貫き、食物を加熱する。その結果、食物の味が良くない上、栄養価の損失も大きい。そして、保圧と排気もうまくできない。また、現在の市場には、金属で作られたレンジ用の炊飯器がない。
【先行技術文献】
【特許文献】
【０００３】
【特許文献１】中国特許出願公開第１０３７３５１４９号明細書
【考案の概要】
【考案が解決しようとする課題】
【０００４】
本考案の目的は、現有技術の不足を解決し、新しいレンジ用の炊飯器を作り出すことである。
【課題を解決するための手段】
【０００５】
本考案の技術問題を解決するために、以下のような技術方案を取る。
【０００６】
蓋と容器を含むレンジ用の炊飯器であって、容器の外側には、マイクロ波吸収発熱層が設けられ、容器の周縁を囲むように炊飯器の把持部が設けられ、把持部の頂面には、係脱具が可動自在に設けられ、蓋には、係脱具に係合する係脱凸部が対応して設けられ、蓋には、容器の内部と外部とを連通させる排気弁が設けられ、蓋には、蓋取っ手が設けられる。
【０００７】
その構造を採用したレンジ用の炊飯器は、容器の外側に設けられるマイクロ波吸収発熱層が、マイクロ波を吸収して発熱し、さらに熱量を鍋に伝える。容器に米や水を入れる。最後に、炊飯器を電子レンジに入れて、加熱して飯を炊く。
【０００８】
更に、把持部の頂面には、係脱具が可動自在に設けられる。蓋には、係脱具に係合する係脱凸部が対応して設けられる。その構造によれば、容器と蓋とをしっかり締める。食物の加熱時、容器内部の圧力が大きすぎることにより蓋が弾き出ることを避け、使用上の安全性を高める。
【０００９】
更に、蓋には、容器の内部と外部とを連通させる排気弁が設けられることで、容器の内部を減圧するという役割を果たす。
【００１０】
更に、炊飯器の把持部がシリカゲルで作られ、蓋と容器との間の気密性を高め、容器からの煮こぼれを防止することができる。
【００１１】
更に、マイクロ波吸収発熱層が、容器の外側の底部に設けられる。
【００１２】
更に、マイクロ波吸収発熱層が、容器の外側壁に設けられる。
【００１３】
更に、マイクロ波吸収発熱層が、容器の底部及び外側壁に設けられる。これにより、容器内部の食物は、受熱量が多くなり、均一に加熱され、炊飯器の加熱速度が増す。
【００１４】
更に、蓋取っ手は、蓋の外側の上端の中央に設けられる。
【００１５】
更に、把持部の頂面には、二つの係脱具が対称になって可動自在に設けられる。
【００１６】
更に、蓋には、係脱具に係合する係脱凸部が、二つ対称になって設けられる。
【００１７】
更に、蓋と容器とは、金属で作られる。
【００１８】
更に、マイクロ波吸収発熱層は、以下のような成分をその重量百分率で混合した組成を含む。
吸波剤：１０％〜９０％、補助材料：１０％〜９０％
【００１９】
更に、吸波剤は、酸化粉末、カルボニル鉄粉、石墨粉末、炭素繊維、導電性カーボンブラック、アセチレンブラック及び炭化ケイ素の何れか一種又は二種以上を混合して構成されており、補助材料は、合成ゴム又は接着材である。
【考案の効果】
【００２０】
本考案の有益な効果：
（１）容器の外側に設けられるマイクロ波吸収発熱層が、マイクロ波を吸収して発熱し、さらに熱量を容器に伝える。容器に米や水を入れる。最後に、炊飯器を電子レンジに入れて、加熱して飯を炊く。
（２）把持部の頂面には係脱具が可動自在に設けられる。蓋には、係脱具に係合する係脱凸部が対応して設けられる。その構造によれば、容器と蓋とをしっかり締める。食物の加熱時、容器内部の圧力が大きすぎることにより蓋が弾き出ることを避け、使用上の安全性を高める。
【図面の簡単な説明】
【００２１】
【図１】図１は、本考案の構造の見取り図
【図２】図２は、本考案の断面図
【考案を実施するための形態】
【００２２】
以下のような図面と実施形態を結び付け、本考案を更に説明しよう。
【００２３】
図１と図２のように、本実施形態に係るレンジ用の炊飯器は、蓋１と容器（鍋）２とを含む。蓋１と容器２とは、金属部材であり、容器２の外側には、マイクロ波吸収発熱層３が設けられる。容器２の周縁には、炊飯器の把持部（取っ手）４があり、把持部４の頂面（上面）には、係脱具（着脱具）５が可動自在に設けられ、蓋１には、係脱具５に係合する係脱凸部（着脱凸部）６が対応して設けられる。また、蓋１には、容器２の内部と外部とを連通させる排気弁７と、蓋取っ手８とが設けられる。その構造を採用したレンジ用の炊飯器は、容器２の外側に設けられるマイクロ波吸収発熱層３によって、マイクロ波を吸収して発熱し、さらに、熱量を容器２内に伝える。容器２に米や水を入れる。最後に、炊飯器を電子レンジに入れて、加熱して飯を炊く。
【００２４】
更に、把持部４の頂面には係脱具５が可動自在に設けられ、蓋１には係脱具５に突き合わされるボタンを受ける凸部６が対応して設けられる。その構造により、炊飯器は、容器２と蓋１とをしっかり締める。炊飯器は、食物の加熱時、容器２の内部の圧力が大きすぎることにより蓋１が弾き出ることを避け、使用上の安全性が高まる。
【００２５】
更に、蓋１には、容器２の内部と外部とを連通させる排気弁７が設けられることで、容器の内部を減圧するという役割を果たす。
【００２６】
更に、炊飯器の把持部４がシリカゲルで作られ、蓋１と容器２との間の気密性を高め、容器２からの煮こぼれを防止することができる。
【００２７】
更に、マイクロ波吸収発熱層３が、容器２の外側の底部に設けられる。
【００２８】
更に、マイクロ波吸収発熱層３が、容器２の外側壁に設けられる。
【００２９】
更に、マイクロ波吸収発熱層３が、容器２の底部及び外側壁に設けられる。これにより、容器２の内部の食物は、受熱量が多くなり、均一に加熱され、炊飯器の加熱速度が増す。
【００３０】
更に、蓋取っ手８は、蓋１の外側の上端の中央に設けられる。
【００３１】
更に、把持部４の頂面には、二つの係脱具５が対称になって可動自在に設けられる。
【００３２】
更に、蓋１には、係脱具５に係合する係脱凸部６が二つ対称になって設けられる。
【００３３】
更に、マイクロ波吸収発熱層３は、以下のような成分をその重量百分率で混合した組成を含む。
吸波剤：１０％〜９０％、補助材料：１０％〜９０％
【００３４】
更に、吸波剤は、酸化粉末、カルボニル鉄粉、石墨粉末、炭素繊維、導電性カーボンブラック、アセチレンブラック及び炭化ケイ素の何れか一種又は二種以上を混合して構成されており、補助材料は、合成ゴム又は接着材である。
【００３５】
以上のように述べた具体的な実施形態は、ただ本考案のより良い実施形態であり、本考案に係る実用新案登録請求の範囲から作られる均等物は、全て本考案の技術的範囲に属する。
【符号の説明】
【００３６】
１  容器
２  蓋
３  マイクロ吸収発熱層
４  把持部
５  係脱具
６  係脱凸部
７  排気弁
８  蓋取っ手
【図１】
0003206690.tif 000003
【図２】
0003206690.tif 000004